(57)【要約】【課題】ドレンを収容するドレン容器の清掃を容易に行うことができるショーケースのドレン排水装置を提供する。【解決手段】一端がショーケースのドレン排出口に接続され、このドレン排出口から排出されるドレンを導くドレン排出ホース１５と、ドレン排出ホース１５により導かれたドレンを収容するとともに横方向に移動可能なドレン容器１８と、ドレン容器１８の上部開口１９を開放する開放位置と上部開口１９を閉止する閉止位置とに上下方向移動可能な蓋２０と、蓋２０に取付けられてドレン容器１８内のドレンを汲み上げるドレンポンプ２１とを有し、ドレン排出ホース１５の他端が、蓋２０に取付けられるとともにドレン容器１８内に向けて開口し、ドレン排出ホース１５に、蓋２０への取付部の手前側に位置して上向きに立ち上がったドレントラップ３２が設けられている。【選択図】図４
2015010742.tif 000002
【特許請求の範囲】
【請求項１】
一端がショーケースのドレン排出口に接続され、このドレン排出口から排出されるドレンを導くドレン排出ホースと、
前記ドレン排出ホースにより導かれたドレンを収容するとともに横方向に移動可能なドレン容器と、
前記ドレン容器に設けられ、このドレン容器の上部開口を開放する開放位置と前記上部開口を閉止する閉止位置とに上下方向移動可能な蓋と、
前記蓋に取付けられ、前記ドレン容器内のドレンを汲み上げるドレンポンプと、
を有し、
前記ドレン排出ホースの他端が、前記蓋に取付けられるとともに前記ドレン容器内に向けて開口し、
前記ドレン排出ホースに、前記蓋への取付部の手前側に位置して上向きに立ち上がったドレントラップが設けられていることを特徴とするショーケースのドレン排水装置。
【請求項２】
前記蓋に、前記ドレン容器内のドレンの水位が前記ドレンポンプを運転させる水位であることを検知する運転用水位センサが設けられていることを特徴とする請求項１記載のショーケースのドレン排水装置。
【請求項３】
前記蓋に、前記ドレン容器内のドレンの水位が異常水位であることを検知する警報用水位センサが設けられていることを特徴とする請求項１又は２記載のショーケースのドレン排水装置。
【請求項４】
開放位置に移動した蓋を、横方向に移動する前記ドレン容器が前記ドレンポンプと前記センサとに当らない位置で保持する蓋保持機構が設けられていることを特徴とする請求項１ないし３のいずれか１項に記載のショーケースのドレン排水装置。
【発明の詳細な説明】
【技術分野】
【０００１】
本発明は、ショーケース内で生じたドレンを排水するショーケースのドレン排水装置に関する。
【背景技術】
【０００２】
従来、商品を販売するスーパーマーケットやその他の店舗では、冷凍食品や生鮮食品を陳列するために、冷凍装置を備えたショーケースが使用されている。このようなショーケースには、冷凍装置の冷却器に付着した霜を除霜した場合等に生じるドレンを排水するドレン排水装置が設けられている。ショーケースのドレン排水装置としては様々な構造のものが知られており、その一例としては、下記特許文献１に記載されたように、ショーケースの下部にドレン受け皿を設け、ドレンを筒状の排水部を介してドレン受け皿に導き、ドレン受け皿に導かれたドレンをドレンポンプで汲み上げて外部に排水するようにしたものが知られている。
【０００３】
また、ドレンをドレン受け皿に導く構造としては、下記特許文献２に記載されたように、ドレン排水ホースをドレン受け皿に接続したものが知られている。
【先行技術文献】
【特許文献】
【０００４】
【特許文献１】特開平１１−３５１７２８号公報
【特許文献２】特開２００８−７５９５２号公報
【発明の概要】
【発明が解決しようとする課題】
【０００５】
しかしながら、特許文献１に記載された構造では、ドレン受け皿を清掃するためにそのドレン受け皿を横方向に移動させてショーケースの下部から引き出す場合に、ドレン受け皿が排水部に当り易く、ドレン受け皿の清掃作業に手間と時間とがかかっている。
【０００６】
また、特許文献２に記載されたようにドレン排水ホースをドレン受け皿に接続した構造の場合には、ドレン受け皿を清掃する場合に、ドレン受け皿からドレン排水ホースを取り外す作業と、清掃後にドレン受け皿にドレン排水ホースを接続する作業とが必要であり、ドレン受け皿の清掃作業に手間と時間とがかかっている。
【０００７】
本発明は、このような課題を解決するためになされたものであり、その目的は、ドレンを収容するドレン容器の清掃を容易に行うことができるショーケースのドレン排水装置を提供することである。
【課題を解決するための手段】
【０００８】
本発明に係るショーケースのドレン排水装置は、一端がショーケースのドレン排出口に接続され、このドレン排出口から排出されるドレンを導くドレン排出ホースと、前記ドレン排出ホースにより導かれたドレンを収容するとともに横方向に移動可能なドレン容器と、前記ドレン容器に設けられ、このドレン容器の上部開口を開放する開放位置と前記上部開口を閉止する閉止位置とに上下方向移動可能な蓋と、前記蓋に取付けられ、前記ドレン容器内のドレンを汲み上げるドレンポンプと、を有し、前記ドレン排出ホースの他端が、前記蓋に取付けられるとともに前記ドレン容器内に向けて開口し、前記ドレン排出ホースに、前記蓋への取付部の手前側に位置して上向きに立ち上がったドレントラップが設けられていることを特徴とする。
【０００９】
また、前述の本発明に係るショーケースのドレン排水装置において、前記蓋に、前記ドレン容器内のドレンの水位が前記ドレンポンプを運転させる水位であることを検知する運転用水位センサが設けられていることが望ましい。
【００１０】
また、前述の本発明に係るショーケースのドレン排水装置において、前記蓋に、前記ドレン容器内のドレンの水位が異常水位であることを検知する警報用水位センサが設けられていることが望ましい。
【００１１】
また、前述の本発明に係るショーケースのドレン排水装置において、開放位置に移動した蓋を、横方向に移動する前記ドレン容器が前記ドレンポンプと前記センサとに当らない位置で保持する蓋保持機構が設けられていることが望ましい。
【発明の効果】
【００１２】
本発明に係るショーケースのドレン排水装置によれば、蓋を開放位置に移動させた後にドレン容器を横方向に移動させて設置場所から取り出すことによりドレン容器を清掃することができ、ドレン排出ホースが蓋に取付けられているためにドレン容器を横方向に移動させる場合にドレン容器がドレン排出ホースに当ることがなく、また、ドレン排出ホースを取外す必要がなく、ドレン容器の横方向への移動及び横方向に移動させた後のドレン容器の清掃を容易に行うことができる。また、蓋を開放位置に移動させた場合には、蓋が上方へ移動することに伴ってドレン排出ホースのドレントラップの高さ寸法が大きくなるため、ドレン容器を清掃している間にショーケースに設けられている冷凍装置の運転を継続することによりドレンが生じてもそのドレンがドレン排出ホースの他端から溢れ出すことを防止することができ、ドレン容器の清掃中に冷凍装置の運転を継続してショーケース内の温度を適温に維持することができ、商品の鮮度を維持することができる。
【００１３】
また、運転用水位センサが蓋に取付けられているため、ドレン容器の清掃を容易に行うことができる。
【００１４】
また、警報用水位センサが蓋に設けられているため、ドレン容器の清掃を容易に行うことができる。
【００１５】
また、開放位置に移動した蓋を蓋保持機構で保持することにより、横方向に移動するドレン容器がドレンポンプとセンサとに当らないようにすることができ、ドレン容器の横方向への移動及び清掃を容易に行うことができる。
【図面の簡単な説明】
【００１６】
【図１】本発明の一実施形態のショーケースを示す断面側面図である。
【図２】ドレンアップキットを示す平面図である。
【図３】ドレンアップキットの蓋が閉止位置に位置する状態を示す側面図である。
【図４】ドレンアップキットの蓋が開放位置に位置する状態を示す側面図である。
【発明を実施するための形態】
【００１７】
本発明の一実施形態について、図面に基づいて説明する。図１は平型タイプのショーケース１を示しており、このショーケース１は、上方が開口されたショーケース本体２と、ショーケース本体２の下側に位置してショーケース本体２を支持する台座部３とを有している。
【００１８】
ショーケース本体２は、前後左右の外周部を囲む側壁４と底部に位置する底壁５とを有している。ショーケース本体２の内側には、後方の側壁４と平行に対向する背面板６と、前方の側壁４と平行に対向する前面板７と、底壁５と平行に対向する床板８とが設けられている。床板８上には、冷凍食品や生鮮食品等の商品が陳列される。前方の側壁４と前面板７との間、底壁５と床板８との間、及び、後方の側壁４と背面板６との間には、冷気が循環する循環ダクト９が設けられている。
【００１９】
循環ダクト９内における底壁５と床板８との間の部分には、送風ファン１０と冷凍装置の一部を構成する冷却器１１とが設置されている。送風ファン１０により送風されるとともに冷却器１１により冷却されることにより生じた冷気が循環ダクト９内を循環し、背面板６の上部には循環する冷気が吹き出す冷気吹出口１２が形成され、前面板７の上部には循環する冷気が吸い込まれる冷気吸込口１３が形成されている。
【００２０】
台座部３の内部には、冷凍装置の一部を構成する圧縮機、凝縮器、膨張装置等（いずれも図示せず）が設置されている。
【００２１】
底壁５には、冷却器１１に付着した霜が除霜された場合に生じるドレンを排出するためのドレン排出口１４が形成されている。ドレン排出口１４にはドレン排出ホース１５の一端が接続され、ドレン排出ホース１５は、ドレンを後述するドレン容器に案内するように台座部３内に配設されている。
【００２２】
ショーケース１の背面側には、ドレンアップキット１６が設置されている。このドレンアップキット１６は、支持体１７と、ドレン容器１８と、ドレン容器１８の上部開口１９を閉止する閉止位置と上部開口１９を開放する開放位置とに上下方向移動可能な蓋２０と、蓋２０に取付けられたドレンポンプ２１、運転用水位センサ２２、２３、警報用水位センサ２４とを備えている。
【００２３】
図２は、ドレンアップキット１６を示す平面図である。ドレン容器１８の蓋２０には、ドレンポンプ２１と、運転用水位センサ２２、２３と、警報用水位センサ２４と、ドレン排出ホース１５の他端とが取付けられている。ドレン排出ホース１５の他端は、蓋２０に形成された孔２５に向けて開口している。
【００２４】
図３は、蓋２０がドレン容器１８の上部開口１９を閉止する閉止位置に位置する状態を示している。図４は、蓋２０がドレン容器１８の上部開口１９を開放する開放位置に位置する状態を示している。
【００２５】
以下、ドレンアップキット１６の各構成部品について説明する。
【００２６】
支持体１７は、ショーケース１の背面側に位置して上下方向に設けられており、この支持体１７は蓋２０を閉止位置と開放位置との間で上下方向移動可能に支持している。
【００２７】
ドレン容器１８は、ドレン排出ホース１５により導かれたドレンを収容する容器であり、上部開口１９を開放した状態で横方向に移動可能に設けられている。ドレン容器１８を横方向に移動させて設置場所から取出すことにより、ドレン容器１８を清掃することができる。
【００２８】
蓋２０は、支持体１７により支持されて閉止位置と開放位置とに上下方向移動可能に設けられている。蓋２０の上部側には、蓋２０に取付けられたドレンポンプ２１やドレン排出ホース１５の他端側を囲む上部カバー２６が取付けられており、この上部カバー２６には蓋２０を上下動させる場合に転動するローラ２７が取付けられている。開放位置に移動した蓋２０は、その開放位置で蓋保持機構２８により保持されるようになっている。この蓋保持機構２８は、支持体１７に設けられた突起２９と、上部カバー２６に設けられて突起２９に引っ掛けられる引掛け部３０とにより構成されている。
【００２９】
ドレンポンプ２１は、ドレン容器１８内に収容されたドレンを汲み上げ、外部排出パイプ３１を介してショーケース１が設置されている部屋の外部に排出するポンプである。蓋２０へのドレンポンプ２１の取付けは、蓋２０を開放位置に移動させて蓋保持機構２８により保持した場合、横方向に移動するドレン容器１８がドレンポンプ２１に当らないように行われている。
【００３０】
運転用水位センサ２２、２３は、ドレン容器１８内のドレンの水位がドレンポンプ２１を運転させる水位であることを検知するセンサであり、一方の運転用水位センサ２２はドレンポンプ２１の運転を開始する水位を検知し、他方の運転用水位センサ２３はドレンポンプ２１の運転を停止する水位を検知する。これらの運転用水位センサ２２、２３はドレンアップキット１６の各部を制御する制御部（図示せず）に通信ケーブルを介して接続され、運転用水位センサ２２、２３からの検知信号が制御部に入力されることにより、制御部からドレンポンプ２１に対して運転を開始する運転開始信号又は運転を停止する運転停止信号が出力される。蓋２０への運転用水位センサ２２、２３の取付けは、蓋２０を開放位置に移動させて蓋保持機構２８により保持した場合、横方向に移動するドレン容器１８が運転用水位センサ２２、２３に当らないように行われている。
【００３１】
警報用水位センサ２４は、ドレン容器１８内のドレンの水位が異常水位に上昇したことを検知するセンサである。この警報用水位センサ２４はドレンアップキット１６の各部を制御する制御部に接続され、警報用水位センサ２４からの検知信号が制御部に入力されることにより、制御部から警報発報部（図示せず）に対して信号が出力され、警報発報部において警報音又はランプ点灯による警報の発報が行われる。蓋２０への警報用水位センサ２４の取付けは、蓋２０を開放位置に移動させて蓋保持機構２８により保持した場合、横方向に移動するドレン容器１８が警報用水位センサ２４に当らないように行われている。
【００３２】
一端がドレン排出口１４に接続されたドレン排出ホース１５の他端は、蓋２０に取付けられるとともに孔２５（図２参照）を介してドレン容器１８内に向けて開口している。ドレン排出ホース１５における蓋２０への取付部の手前側に位置する部分には、上向きに立ち上って内部にドレンを蓄えるドレントラップ３２が設けられている。このドレントラップ３２は、蓋２０の上下動に伴って伸縮可能な蛇腹構造に形成されている。
【００３３】
このような構成において、ドレン容器１８を清掃するとき以外は、蓋２０は図１及び図３に示すように閉止位置に位置しており、ドレン容器１８の上部開口１９は蓋２０により閉止されている。
【００３４】
冷却器１１に付着した霜が除霜されるとドレンが生じ、そのドレンはドレン排出口１４から排出され、ドレン排出ホース１５内を導かれてドレン排出ホース１５の他端から排出される。ドレン排出ホース１５の他端から排出されたドレンは、孔２５（図２参照）を通過して流れ落ち、ドレン容器１８内に収容される。
【００３５】
ドレン容器１８内に収容されたドレンの水位が運転用水位センサ２２により検知されると、ドレンポンプ２１の運転が開始される。ドレンポンプ２１の運転が開始されると、ドレン容器１８内のドレンが汲み上げられ、汲み上げられたドレンは外部排出パイプ３１を介して外部に排出される。ドレンポンプ２１による汲み上げ及び外部への排出に伴ってドレン容器１８内のドレンが減少し、ドレンの水位が低下して運転用水位センサ２３によりその水位が検知されると、ドレンポンプ２１の運転が停止される。
【００３６】
また、何らかの原因、例えば、ドレンポンプ２１のゴミ詰まり等によりドレン容器１８内のドレンの水位が異常水位に上昇したことが警報用水位センサ２４により検知された場合には、警報発報部から警報が発報される。警報が発報された場合には、ショーケース１が設置されている店舗の担当者やショーケース１の管理会社のサービスマンによりその警報に対応した措置がとられる。
【００３７】
ドレン容器１８を清掃する場合には、図４に示すように蓋２０を支持体１７に沿って開放位置へ移動させ、開放位置に移動した蓋２０を蓋保持機構２８により保持する。開放位置に移動した蓋２０を蓋保持機構２８により保持した後、ドレン容器１８を横方向に移動させることにより設置場所から取出し、清掃する。
【００３８】
開放位置へ移動させた蓋２０は蓋保持機構２８により開放位置で保持されるため、ドレン容器１８を横方向に移動させて設置場所から取出す作業を、両手を使用して容易に行うことができる。
【００３９】
また、通信ケーブルを介して制御部に接続されているドレンポンプ２１と運転用水位センサ２２、２３と警報用水位センサ２４とが蓋２０に取付けられており、ドレン容器１８には制御部に接続されている機器が取付けられていないため、ドレン容器１８を横方向に移動させて設置場所から取出す作業や、ドレン容器１８を清掃する作業を容易に行うことができる。
【００４０】
さらに、蓋２０を開放位置へ移動させて蓋保持機構２８により保持した場合、ドレンポンプ２１と運転用水位センサ２２、２３と警報用水位センサ２４とが横方向に移動するドレン容器１８と当らない位置に移動しているため、ドレン容器１８を横方向に移動させて設置場所から取出す作業をより一層容易に行うことができる。
【００４１】
このように、ドレン容器１８を設置場所から取出す作業を容易に行うことができるため、ドレン容器１８の清掃を頻繁に行うことができ、ドレン容器１８の汚れ等が原因となるドレンポンプ２１の耐用年数の低下を防止することができる。
【００４２】
また、蓋２０を開放位置に移動させた場合、蓋２０に取付けられているドレン排出ホース１５の他端も上方に移動し、蛇腹構造のドレントラップ３２が上方に伸びる。このため、ドレン容器１８を設置場所から取出して清掃している場合に、冷却器１１の除霜が行われることにより生じたドレンがドレン排出ホース１５内を導かれてもそのドレンがドレン排出ホース１５の他端から溢れ出すことが防止される。これにより、ドレン容器１８を設置場所から取出して清掃する場合において冷凍装置の運転を継続することができ、ドレン容器１８を清掃するために冷凍装置の運転を停止させる必要がなく、ショーケース１内の温度を適温に維持することができ、陳列された商品の鮮度を維持することができる。
【００４３】
本発明は、前述の実施形態に限るものではなく、その要旨を逸脱しない範囲において種々変更可能である。例えば、前述の実施形態に示される全構成要素から幾つかの構成要素を削除してもよく、さらに、異なる実施形態に係る構成要素を適宜組み合わせてもよい。
【符号の説明】
【００４４】
１    ショーケース
２    ショーケース本体
３    台座部
４    側壁
５    底壁
６    背面板
７    前面板
８    床板
９    循環ダクト
１０    送風ファン
１１    冷却器
１２    冷気吹出口
１３    冷気吸込口
１４    ドレン排出口
１５    ドレン排出ホース
１６    ドレンアップキット
１７    支持体
１８    ドレン容器
１９    上部開口
２０    蓋
２１    ドレンポンプ
２２、２３  運転用水位センサ
２４    警報用水位センサ
２５    孔
２６    上部カバー
２７    ローラ
２８    蓋保持機構
２９    突起
３０    引掛け部
３１    外部排出パイプ
３２    ドレントラップ
【図１】
2015010742.tif 000003
【図２】
2015010742.tif 000004
【図３】
2015010742.tif 000005
【図４】
2015010742.tif 000006